(57)【要約】【課題】ＭＢＲ処理水等の膜汚染物質を多く含む原水を、透過水量の低下を防止して安定に処理することができる逆浸透膜装置及びその運転方法を提供する。【解決手段】高分子有機物を含有する水を原水として処理する逆浸透膜装置の運転方法において、該原水が分子量１０，０００以上の高分子有機物を０．０１ｐｐｍ以上の濃度で含有し、該逆浸透膜装置は、下記式（１）を満たすスパイラル型逆浸透膜エレメントを有し、該逆浸透膜装置を透過流束０．６ｍ／ｄ以下で運転する。    膜面積（ｍ２）≧ｎ２×（１１／１６）      …（１）（ただし、ｎは逆浸透膜エレメントの直径（インチ）を表す。）【選択図】図２
2014159015.tif 000002
【特許請求の範囲】
【請求項１】
高分子有機物を含有する水を原水として処理する逆浸透膜装置の運転方法において、該原水が分子量１０，０００以上の高分子有機物を０．０１ｐｐｍ以上の濃度で含有し、該逆浸透膜装置は、下記式（１）を満たす膜面積を有するスパイラル型逆浸透膜エレメントを有し、該逆浸透膜装置を透過流束０．６ｍ／ｄ以下で運転することを特徴とする逆浸透膜装置の運転方法。
膜面積（ｍ２）≧ｎ２×（１１／１６）      …（１）
（ただし、ｎは逆浸透膜エレメントの直径（インチ）を表す。）
【請求項２】
前記透過流束が０．４５ｍ／ｄ以下であることを特徴とする請求項１に記載の逆浸透膜装置の運転方法。
【請求項３】
線速０．１ｍ／ｓ以上の濃縮水流量で運転することを特徴とする請求項１又は２に記載の逆浸透膜装置の運転方法。
【請求項４】
前記逆浸透膜エレメントの直径ｎが８インチであることを特徴とする請求項１ないし３のいずれか１項に記載の逆浸透膜装置の運転方法。
【請求項５】
前記原水がＭＢＲ処理水であることを特徴とする請求項１ないし４のいずれか１項に記載の逆浸透膜装置の運転方法。
【請求項６】
分子量１０，０００以上の高分子有機物を０．０１ｐｐｍ以上の濃度で含有する水を原水として処理する逆浸透膜装置であって、下記式（１）を満たす膜面積を有するスパイラル型逆浸透膜エレメントを有し、透過流束０．６ｍ／ｄ以下で運転されることを特徴とする逆浸透膜装置。
膜面積（ｍ２）≧ｎ２×（１１／１６）      …（１）
（ただし、ｎは逆浸透膜エレメントの直径（インチ）を表す。）
【請求項７】
生物処理水を請求項６に記載の逆浸透膜装置で逆浸透膜分離処理することを特徴とする生物処理水の処理方法。
【発明の詳細な説明】
【技術分野】
【０００１】
本発明は、ＭＢＲ処理水等の、膜に吸着して膜汚染を進行させる高分子有機物を含む水を処理する逆浸透膜装置及びその運転方法に関する。
本発明はまた、この逆浸透膜装置を用いた生物処理水の処理方法に関する。
【背景技術】
【０００２】
逆浸透膜は、従来、海水淡水化、超純水製造、工業用水処理、排水回収処理などにおいて、原水中のイオン類や有機物などを除去するために用いられている（例えば非特許文献１）。逆浸透膜は膜表面での微生物の繁殖や有機物の吸着により透過流束が低下したり、濁質による閉塞でモジュール差圧が上昇することがあり、定期的に洗浄し、透過流束や、エレメントの原水側と濃縮水側の差圧（以下、エレメント差圧）を回復させる必要がある。
【０００３】
逆浸透膜の構造としてはスパイラル構造と呼ばれる膜構造のエレメントを使用することが一般的に知られている。従来のスパイラル型膜エレメントの一例として、透過水スペーサの両面に逆浸透膜を重ね合わせて３辺を接着することにより袋状膜を形成し、該袋状膜の開口部を透過水集水管に取り付け、網状の原水スペーサと共に、透過水集水管の外周面にスパイラル状に巻回することにより構成されたものが挙げられる。このようなスパイラル型膜エレメントでは、原水はエレメントの一方の端面側から供給され、原水スペーサに沿って流れ、他方の端面側から濃縮水として排出される。原水は原水スペーサに沿って流れる過程で、逆浸透膜を透過して透過水となり、この透過水は透過水スペーサに沿って透過水集水管の内部に流れ込み、透過水集水管の端部から排出される。
【０００４】
このように、スパイラル型膜エレメントでは、透過水集水管に巻回された袋状膜間に配設される原水スペーサにより原水経路が形成されることになる。
従って、スパイラル型膜エレメントの原水スペーサの厚みを厚くすることで、濁質が原水流路を閉塞しにくくなり、濁質蓄積によるエレメント差圧の上昇や透過水量、透過水質の低下を回避できることが知られており、近年、濁質による閉塞性を改善するために、原水スペーサの厚みを大きくしたスパイラル型逆浸透膜エレメントが上市されている。
【０００５】
しかし、原水スペーサを厚くすると、エレメントあたりの膜面積が小さくなり、エレメントあたりの透過水量が減少する。市販のスパイラル型逆浸透膜エレメントの膜面積は４２ｍ２（４４０ｆｔ２）以下である。
【０００６】
一方で、原水スペーサの厚みを大きくしても、膜汚染物質の吸着による透過流束の低下に対する改善効果は期待できない。
【０００７】
エレメントあたりの膜面積を大きくするために、原水スペーサの厚みを薄くすることも提案されているが（例えば特許文献１）、一般的には、原水スペーサの厚みが薄くなると濁質による流路の閉塞が問題となると考えられ、原水スペーサの厚みが薄いものについては、どのような特性があり、どのような運転をすればよいかは知られていなかった。
【０００８】
ところで、下水などの有機性汚水を生物処理槽において活性汚泥処理し、生物処理槽内に浸漬設置した浸漬型膜分離装置で活性汚泥混合液を固液分離する膜分離活性汚泥法（ＭＢＲ：メンブレンバイオリアクター）は、安定した水質の処理水を得ることができ、また、活性汚泥濃度を高めて高負荷処理を行えることから、広く普及しつつある。また、このＭＢＲ処理水（浸漬型膜分離装置の膜濾過水）を直接逆浸透膜装置に給水して逆浸透膜分離処理する有機性排水の処理方法も提案されている（例えば、非特許文献２）。
【０００９】
しかし、ＭＢＲ処理水は、膜汚染物質となる分子量１０，０００以上の高分子有機物を多く含み、ＭＢＲ処理水を処理する逆浸透膜装置では、経時による透過流束の低下あるいは膜間差圧の増加が大きいという問題がある。
【先行技術文献】
【特許文献】
【００１０】
【特許文献１】特許第４１０７７２４号公報
【非特許文献】
【００１１】
【非特許文献１】「ユーザーのための実用膜分離技術」（１９９６年４月３０日初版１刷発行、日刊工業新聞社）第６頁
【非特許文献２】「水処理膜の製膜技術と材料評価」（２０１２年１月３０日第１版第１刷発行、サイエンス＆テクノロジー株式会社）第１１頁
【発明の概要】
【発明が解決しようとする課題】
【００１２】
本発明は、ＭＢＲ処理水等の膜汚染物質を多く含む原水を、透過水量の低下を防止して安定に処理することができる逆浸透膜装置及びその運転方法と、この逆浸透膜装置を用いた生物処理水の処理方法を提供することを課題とする。
【課題を解決するための手段】
【００１３】
逆浸透膜は、通水により膜表面で濃度分極と呼ばれる現象が発生し、濃度分極が大きくなると、膜面の溶質濃度が高くなることが知られているが、本発明者らは、上記課題を解決すべく、スパイラル型逆浸透膜エレメントの流動条件を解析した結果、以下のような知見を得た。
１）膜の透過流束を小さくすると濃度分極は小さくなる。
２）膜表面の通水線速を大きくすると濃度分極は小さくなる。
３）溶質の分子量が大きくなると濃度分極が大きくなる。
本発明者らはまた、膜汚染によるファウリングを引き起こす原因物質が、分子量１０，０００以上の高分子有機物、特に多糖類、たんぱく質のような生物代謝物であること、それらの高分子有機物が濃度分極によって膜面濃度が上昇した際に、透過流束及び透過水量の低下が顕著になることをつきとめた。
【００１４】
そこで、上記課題を解決するべく、さらに検討を重ねた結果、逆浸透膜エレメントとしてエレメントあたりの膜面積を大きくしたスパイラル型逆浸透膜エレメントを用いることにより、同一透過水量においても従来のスパイラル型逆浸透膜エレメントよりも透過流束を小さくすることができ、さらに、一定値以下の透過流束で運転することにより、濃度分極を小さくして、透過流束及び透過水量の低下を抑制することができることを見出した。加えて、通水線速を一定値以上とすることにより、さらに透過流束の低下を抑制することができることを見出した。
【００１５】
本発明はこのような知見に基いて達成されたものであり、以下を要旨とする。
【００１６】
［１］  高分子有機物を含有する水を原水として処理する逆浸透膜装置の運転方法において、該原水が分子量１０，０００以上の高分子有機物を０．０１ｐｐｍ以上の濃度で含有し、該逆浸透膜装置は、下記式（１）を満たす膜面積を有するスパイラル型逆浸透膜エレメントを有し、該逆浸透膜装置を透過流束０．６ｍ／ｄ以下で運転することを特徴とする逆浸透膜装置の運転方法。
膜面積（ｍ２）≧ｎ２×（１１／１６）      …（１）
（ただし、ｎは逆浸透膜エレメントの直径（インチ）を表す。）
【００１７】
［２］  前記透過流束が０．４５ｍ／ｄ以下であることを特徴とする［１］に記載の逆浸透膜装置の運転方法。
【００１８】
［３］  線速０．１ｍ／ｓ以上の濃縮水流量で運転することを特徴とする［１］又は［２］に記載の逆浸透膜装置の運転方法。
【００１９】
［４］  前記逆浸透膜エレメントの直径ｎが８インチであることを特徴とする［１］ないし［３］のいずれかに記載の逆浸透膜装置の運転方法。
【００２０】
［５］  前記原水がＭＢＲ処理水であることを特徴とする［１］ないし［４］のいずれかに記載の逆浸透膜装置の運転方法。
【００２１】
［６］  分子量１０，０００以上の高分子有機物を０．０１ｐｐｍ以上の濃度で含有する水を原水として処理する逆浸透膜装置であって、下記式（１）を満たす膜面積を有するスパイラル型逆浸透膜エレメントを有し、透過流束０．６ｍ／ｄ以下で運転されることを特徴とする逆浸透膜装置。
膜面積（ｍ２）≧ｎ２×（１１／１６）      …（１）
（ただし、ｎは逆浸透膜エレメントの直径（インチ）を表す。）
【００２２】
［７］  生物処理水を［６］に記載の逆浸透膜装置で逆浸透膜分離処理することを特徴とする生物処理水の処理方法。
【発明の効果】
【００２３】
本発明によれば、ＭＢＲ処理水等の膜汚染物質を多く含む原水を、透過水量の低下を防止して安定に逆浸透膜分離処理することができる。
即ち、本発明によれば、エレメントあたりの膜面積を大きくすることで、同一透過水量においても従来のスパイラル型逆浸透膜エレメントよりも透過流束を小さくすることができ、さらに、一定値以下の透過流束で運転することにより膜面での濃度分極を小さくして、透過水量の低下を抑制することができるため、長期に亘り安定な処理を継続することができる。
【図面の簡単な説明】
【００２４】
【図１】本発明の生物処理水の処理方法の実施の形態を示す系統図である。
【図２】図２（ａ）は、ＮａＣｌ水溶液又は平均分子量１０，０００の高分子有機物を含む水を原水とする逆浸透膜分離処理における透過流束と濃縮倍率との関係を示すグラフであり、図２（ｂ）は、同平均線速と濃縮倍率との関係を示すグラフである。
【図３】実施例において用いた平膜セルの構造を示す模式的断面図である。
【発明を実施するための形態】
【００２５】
以下に本発明の実施の形態を詳細に説明する。
【００２６】
＜原水＞
本発明において、逆浸透膜装置で逆浸透膜分離処理する原水は、分子量１０，０００以上の高分子有機物を０．０１ｐｐｍ以上の濃度で含有する水である。分子量１０，０００以上の高分子有機物、特に多糖類、たんぱく質のような生物代謝物は、膜を汚染し易く、透過流束の低下の原因となり易い。本発明においては、このような高分子有機物を０．０１ｐｐｍ以上、例えば０．０５〜０．５ｐｐｍ含み、通水により逆浸透膜の透過流束を大きく低下させる水を原水とする。
【００２７】
このような高分子有機物含有水としては、各種排水の回収水や生物処理水、特にＭＢＲ処理水などが好適に使用される。
【００２８】
なお、分子量１０，０００以上の高分子有機物の水中濃度の測定方法に特に制限はなく、ＬＣ−ＯＣＤ（液体クロマト−有機炭素測定）やＨＰＬＣ（高速液体クロマトグラフィー）などのクロマトグラフィーで分子量分画してＴＯＣなどを測定する機器を用いたり、事前に分画分子量１０，０００のＵＦ膜を用いて分子量１０，０００以上の物質と１０，０００未満の物質を分離して、ＴＯＣ分析を行うといった手法を用いたりすることにより測定することができる。
【００２９】
＜スパイラル型逆浸透膜エレメント＞
本発明における逆浸透膜装置に装填されるスパイラル型逆浸透膜エレメントは、逆浸透膜の平膜の一次側（一方の面）に原水を通水するための原水スペーサを配置し、二次側（他方の面）に透過水を通水するための透過水スペーサを配置した膜ユニットを巻回してスパイラル状にしたものである。
【００３０】
スパイラル型逆浸透膜エレメントの直径としては特に制限がなく、４インチ、８インチ、１６インチと言ったものが提供されているが、一般的に８インチのスパイラル型逆浸透膜エレメントが用いられている。
エレメントの長さとしては通常１ｍ程度である。
【００３１】
本発明で用いるスパイラル型逆浸透膜エレメントは、下記式（１）を満たす膜面積を有することを特徴とする。
膜面積（ｍ２）≧ｎ２×（１１／１６）      …（１）
（ただし、ｎは逆浸透膜エレメントの直径（インチ）を表す。）
【００３２】
スパイラル型逆浸透膜エレメントの膜面積が上記式（１）を満たさず、膜面積（ｍ２）がｎ２×（１１／１６）より小さいと、同一透過水量における透過流束を小さくすることができず、本発明の目的と達成し得ない。
スパイラル型逆浸透膜エレメントの膜面積（ｍ２）は、特にｎ２×１１／１６以上、とりわけｎ２×１３／１６であることが好ましいが、通常、逆浸透膜、原水スペーサ及び透過水スペーサの必要量を確保することからｎ２×１６／１６以下である。
【００３３】
逆浸透膜の材質としては特に制限はないが、除去率が高い膜が好ましいため、フェニレンジアミンと酸クロライドを用いて基材上に合成された芳香族ポリアミド膜が好ましい。逆浸透膜の厚みは０．１〜０．１５ｍｍが通常使用される範囲である。
【００３４】
原水スペーサ、透過水スペーサの形状に特に制限はないが、ポリエチレンやポリプロピレン等の樹脂で構成される、同一、あるいは異なる直径を有する複数の線材が等間隔に並べられ、４５度から９０度の角度で互いに交差するように重ねられたメッシュ状のスペーサが一般的である。
【００３５】
現在、一般的に採用されている原水スペーサとして、厚みが０．６９ｍｍ（２６ｍｉｌ）、０．７１ｍｍ（２８ｍｉｌ）、０．８６ｍｍ（３４ｍｉｌ）のもの等があるが、本発明においては、前記式（１）を満たすために、原水スペーサとしては厚み０．６ｍｍ以下、例えば０．２〜０．６ｍｍ程度のものを用いることが好ましい。原水スペーサの厚みが厚過ぎると、エレメント当たりの膜面積が小さくなって、前記式（１）を満たし得なくなる。原水スペーサの厚みが薄過ぎると、濁質による流路の閉塞が問題となる。
【００３６】
なお、メッシュ状原水スペーサの空孔率は６０〜９５％、メッシュの大きさは１．０〜４．０ｍｍが好ましい。このような空孔率とメッシュの大きさのメッシュ状原水スペーサであれば、通水性を十分確保した上で、原水の混合効果を与え、濃度分極の抑制に寄与することができる。なお、ここで、空孔率とは空間体積から線材の体積を引いたものを空間体積で除した値の百分率であり、メッシュの大きさとは線材間の間隔である。
【００３７】
透過水スペーサの厚みとして、特に制限はないが、０．１〜０．２５ｍｍが好適に使用される。透過水スペーサの厚みが厚過ぎると原水スペーサと同様にエレメントあたりの膜面積が小さくなり、薄過ぎると差圧が大きくなって、透過水量が小さくなる。
【００３８】
＜透過流束＞
本発明においては、上述のような膜面積を有するスパイラル型逆浸透膜エレメントを用いた逆浸透膜装置を透過流束０．６ｍ／ｄ以下で運転する。
【００３９】
一般に、逆浸透膜装置の標準操作圧での純水透過流束は０．７〜０．８５ｍ／ｄであり、無機塩類や有機物を含む原水を通水する場合は、０．５〜０．７ｍ／ｄ程度に設定することが通常である。
本発明者らは分子量１０，０００以上の高分子有機物が逆浸透膜を汚染させる物質であること、その高分子有機物濃度の膜面濃度が１ｐｐｍを超えると透過流束の低下が顕著になることを実験的に確認し、分子量１０，０００以上の高分子有機物が０．０１ｐｐｍ以上含まれる原水において、膜面濃度の濃縮倍率が１００倍を超えると透過流束の低下が顕著になることを見出した。濃縮倍率が１００倍を超えないようにするためには、透過流束が０．６ｍ／ｄ以下であることが必要である。従って、本発明では、透過流束０．６ｍ／ｄ以下、好ましくは０．４５ｍ／ｄ以下で逆浸透膜装置を運転する。しかし、透過流束を下げすぎると、必要とする膜本数が多くなり、経済的でないため、透過流束は０．２ｍ／ｄ以上であることが好ましい。
【００４０】
濃縮水流量については、通常、８インチスパイラル型逆浸透膜エレメントの場合２．０〜８．０ｍ３／ｈであり、このときの線速としては０．０５〜０．１５ｍ／ｓであるが、本発明においては、濃縮水の通水線速については、透過流束にもよるが、０．１ｍ／ｓ以上を維持することが膜面濃度を上昇させない点で好ましい。この線速が０．１ｍ／ｓより低くなると膜面の濃縮倍率が１００倍を超え、透過流束の低下が顕著になるため好ましくない。一方、線速が０．２ｍ／ｓを超えると圧力損失が大きくなりすぎ、膜の破損の可能性も高まるため、好ましくない。従って、より好ましい線速は０．１〜０．２ｍ／ｓである。
【００４１】
ここで、８インチスパイラル型逆浸透膜エレメントとして、膜面積がｎ２×（１１／１６）＝４４ｍ２より小さいものでは、上記条件を満たす運転を行うと、透過水量、及び水回収率が低くなるため、上記の透過流束と線速の条件を満たすためには、膜面積が４４ｍ２以上、即ちｎ２×（１１／１６）以上のスパイラル型逆浸透膜エレメントを用いることが必要となる。
【００４２】
＜生物処理水の処理＞
本発明の逆浸透膜装置は、特に生物処理水の逆浸透膜分処理に好適に用いられる。
【００４３】
図１は、本発明の逆浸透膜装置を用いる本発明の生物処理水の処理方法の実施の形態を示す系統図である。
本発明の生物処理水の処理方法の処理手順としては、例えば、図１（ａ）に示すように、好気及び／又は嫌気性生物処理手段１、凝集処理手段２、加圧浮上等の固液分離手段３、濾過手段４で処理した生物処理水を保安フィルター５を通して逆浸透膜装置６に導入して逆浸透膜分離処理する方法、図１（ｂ）に示すように、生物処理手段１の処理水を直接膜濾過装置等の濾過手段４で固液分離した水を逆浸透膜装置６に導入して逆浸透膜分離処理する方法、或いは、図１（ｃ）に示すように、ＭＢＲ（浸漬型膜分離装置）７の処理水を直接逆浸透膜装置６に導入して処理する方法などが挙げられるが、何らこれらの方法に限定されるものではない。
【実施例】
【００４４】
以下に検証例、実施例及び比較例を挙げて本発明をより具体的に説明する。
【００４５】
［検証例１］
直径８インチのスパイラル型逆浸透膜エレメント（ｎ２×（１１／１６）＝４４）における原水スペーサの厚さと膜面積の関係と、流量一定時の透過流束と線速との関係を、以下の表１，２に示す。
表１，２より明らかなように、原水スペーサの厚みを薄くすることにより、エレメント１本あたりの膜面積を大きくすることができ、ファウリングによるフラックス低下を抑制することができるが、原水スペーサの厚さが薄くなりすぎると、例えば、０．２ｍｍ以下であると、通水抵抗が大きくなり、濁質等による閉塞のリスクが高くなるという問題が生じる。
【００４６】
【表１】
2014159015.tif 000003
【００４７】
【表２】
2014159015.tif 000004
【００４８】
［検証例２］
逆浸透膜分離処理において、ＮａＣｌ水溶液、又は平均分子量１０，０００の高分子有機物を含む水を原水とする場合の透過流束又は平均線速と濃縮倍率（膜面濃度／平均バルク濃度）の関係を解析した結果、図２（ａ），（ｂ）に示す関係が得られた。
図２より、高分子の種類によって多少の差異はあるものの、総じてＮａＣｌなどの分子量の小さい物質と比較して、高分子有機物の膜面濃度は、透過流束の増大、平均線速の低下により、著しく増加することが分かる。
【００４９】
［実施例１］
膜面積４４．０ｍ２の８インチスパイラル型逆浸透膜エレメントを想定し、日東電工製逆浸透膜「ＥＳ２０」（厚さ０．１３ｍｍ）から平膜を幅５０ｍｍ×長さ８００ｍｍに切り抜き、厚み０．６５ｍｍのポリプロピレン製メッシュ状原水スペーサ（空孔率９２％、メッシュの大きさ２．６ｍｍ）及び厚み１０ｍｍのセラミックス（多孔質セラミックス焼結体）製透過水スペーサとともに図３に示す試験用平膜セルに取り付けた。
図３に示す平膜セルは、アクリル製の流路形成部材２１，２２，２３、ＳＵＳ製耐圧補強部材２４，２５を組み合わせて形成された空間内に、原水スペーサ１１と透過水スペーサ１２を逆浸透膜１０を介して積層した膜ユニットを保持する構成とされている。
原水は、原水流入口１３から逆浸透膜１０の一次側に流入して原水スペーサ１１に沿って流れ、その間に逆浸透膜１０を透過した透過水は、透過水スペーサ１２を経て透過水流出口１５から取り出される。また、濃縮水は濃縮水流出口１４から取り出される。
【００５０】
原水として生物処理水を凝集濾過した水を用い、透過流束を０．６ｍ／ｄ、濃縮水流量を線速として０．１１ｍ／ｓで通水し、５００時間後の透過水量を調べた。
８インチエレメント換算の初期透過水量は１．１０ｍ３／ｈ、初期濃縮水量は５．６６ｍ３／ｈであった。
また、原水中の分子量１０，０００以上の高分子有機物の濃度は０．０５ｐｐｍであった。結果を表３に示す。
【００５１】
［比較例１］
膜面積３７．１ｍ２の８インチ逆浸透膜エレメントを想定し、厚み０．８６ｍｍのポリプロピレン製原水スペーサを用いた以外は実施例１と同様の試験を行い、５００時間後の透過水量を調べた。なお、８インチエレメント換算の初期透過水量は０．９３ｍ３／ｈ、初期濃縮水量は６．３２ｍ３／ｈであった。結果を表３に示す。
【００５２】
［比較例２］
透過流束を０．７０ｍ／ｄとする以外は実施例１と同様の試験を行い、５００時間後の透過水量を調べた。なお、８インチエレメント換算の初期透過水量は１．２８ｍ３／ｈ、初期濃縮水量は５．６６ｍ３／ｈであった。結果を表３に示す。
【００５３】
［比較例３］
透過流束を０．７０ｍ／ｄとする以外は比較例１と同様の試験を行い、５００時間後の透過水量を調べた。なお、８インチエレメント換算の初期透過水量は１．０８ｍ３／ｈ、初期濃縮水量は６．３２ｍ３／ｈであった。結果を表３に示す。
【００５４】
［実施例２］
濃縮水流量を線速として０．０９ｍ／ｓで通水する以外は実施例１と同様の試験を行い、５００時間後の透過水量を調べた。なお、８インチエレメント換算の初期透過水量は１．１０ｍ３／ｈ、初期濃縮水量は４．６３ｍ３／ｈであった。結果を表３に示す。
【００５５】
［比較例４］
濃縮水流量を線速として０．０９ｍ／ｓで通水する以外は比較例１と同様の試験を行い、５００時間後の透過水量を調べた。なお、８インチエレメント換算の初期透過水量は０．９３ｍ３／ｈ、初期濃縮水量は５．１７ｍ３／ｈであった。結果を表３に示す。
【００５６】
［比較例５］
濃縮水流量を線速として０．０９ｍ／ｓで通水する以外は比較例２と同様の試験を行い、５００時間後の透過水量を調べた。なお、８インチエレメント換算の初期透過水量は１．２８ｍ３／ｈ、初期濃縮水量は４．６３ｍ３／ｈであった。結果を表３に示す。
【００５７】
［比較例６］
透過流束を０．７０ｍ／ｄ、濃縮水流量を線速として０．０９ｍ／ｓで通水する以外は比較例１と同様の試験を行い、５００時間後の透過水量を調べた。なお、８インチエレメント換算の初期透過流量は１．０８ｍ３／ｈ、初期濃縮水量は５．１７ｍ３／ｈであった。結果を表３に示す。
【００５８】
［実施例３］
膜面積５０．７ｍ２の８インチスパイラル型逆浸透膜エレメントを想定し、厚み０．５０ｍｍのポリプロピレン製原水スペーサを用いた以外は実施例２と同様の試験を行い、５００時間後の透過水量を調べた。なお、８インチエレメント換算の初期透過水量は１．２７ｍ３／ｈ、初期濃縮水量は４．１１ｍ３／ｈであった。結果を表３に示す。
【００５９】
［実施例４］
膜面積５６．４ｍ２の８インチ逆浸透膜エレメントを想定し、厚み０．４０ｍｍのポリプロピレン製原水スペーサを用いた以外は実施例２と同様の試験を行い、５００時間後の透過水量を調べた。なお、８インチエレメント換算の初期透過水量は１．４１ｍ３／ｈ、初期濃縮水量は３．６５ｍ３／ｈであった。結果を表３に示す。
【００６０】
［実施例５］
透過流束を０．５０ｍ／ｄ、濃縮水流量を線速として０．１１ｍ／ｓで通水する以外は実施例３と同様の試験を行い、５００時間後の透過水量を調べた。なお、８インチエレメント換算の初期透過水量は１．０６ｍ３／ｈ、初期濃縮水量は５．０２ｍ３／ｈであった。結果を表３に示す。
【００６１】
［実施例６］
透過流束を０．４５ｍ／ｄ、濃縮水流量を線速として０．１１ｍ／ｓで通水する以外は実施例４と同様の試験を行い、５００時間後の透過水量を調べた。なお、８インチエレメント換算の初期透過水量は１．０６ｍ３／ｈ、初期濃縮水量は４．４７ｍ３／ｈであった。結果を表３に示す。
【００６２】
［実施例７］
膜面積６３．６ｍ２の８インチスパイラル型逆浸透膜エレメントを想定し、厚み０．３０ｍｍのポリプロピレン製原水スペーサを用い、透過流束を０．４０ｍ／ｄとした以外は実施例１と同様の試験を行い、５００時間後の透過水量を調べた。なお、８インチエレメント換算の初期透過水量は１．０６ｍ３／ｈ、初期濃縮水量は３．７８ｍ３／ｈであった。結果を表３に示す。
【００６３】
［比較例７］
分子量１０，０００以上の高分子有機物の濃度が０．００５ｐｐｍの水を原水として使用した以外は、比較例３と同様の試験を行い、５００時間後の透過水量を調べた。なお、８インチエレメント換算の初期透過水量は１．０８ｍ３／ｈ、初期濃縮水量は６．３２ｍ３／ｈであった。結果を表３に示す。
【００６４】
【表３】
2014159015.tif 000005
【００６５】
表３より、次のことが明らかである。
実施例１〜７では、５００時間経過しても安定して高い透過水量を得ることができる。特に実施例６、７は５００時間経過後では透過水量低下が起こらなかった。比較例１、４は透過水量の低下はそれほど起きないが、初期の透過水量が低いため、５００時間後においても得られる透過水量は低い。比較例２，５は初期の透過水量は大きいが、透過水量の低下が大きいため、５００時間後に得られる透過水量は低い。比較例３，６も透過水量の低下が大きく、５００時間後に得られる透過水量は低い。比較例７のように、原水の分子量１０，０００以上の高分子有機物濃度が低い場合は、透過水量の低下が緩やかであった。
【産業上の利用可能性】
【００６６】
本発明は、海水淡水化、超純水製造、工業用水処理、排水回収処理等に使用される各種の逆浸透膜装置に適用することができるが、特に生物処理水、とりわけＭＢＲ処理水を処理する逆浸透膜装置に好適に適用される。
【符号の説明】
【００６７】
１  生物処理手段
２  凝集処理手段
３  固液分離手段
４  濾過手段
５  保安フィルター
６  逆浸透膜装置
７  ＭＢＲ（浸漬型膜分離装置）
１０  逆浸透膜
１１  原水スペーサ
１２  透過水スペーサ
【図１】
2014159015.tif 000006
【図２】
2014159015.tif 000007
【図３】
2014159015.tif 000008